(57)【要約】    【課題】  １つの操作部材によって投写レンズを水平及び垂直に移動させることが可能なプロジェクタを提供する。    【解決手段】  照明装置と、液晶装置と、投写レンズ６００と、筐体とを備えたプロジェクタであって、投写レンズ６００は、鏡筒６１０及び鏡筒６１０の基端部側に設けられた鏡筒枠６２０を有し、筐体は、鏡筒枠６２０を保持するための鏡筒保持枠２０を有し、投写レンズ６００は、鏡筒枠６２０を鏡筒保持枠２０に対して水平及び垂直に摺動可能に保持する保持手段３０と、鏡筒枠６２０を鏡筒保持枠２０に対して水平及び垂直に移動させる操作レバー４０とによって、筐体に対して水平及び垂直に移動可能に保持されていることを特徴とするプロジェクタ。【選択図】  図２
2006091058.tif 000002
【特許請求の範囲】
【請求項１】
照明装置と、
前記照明装置からの光を画像情報に応じて変調する電気光学変調装置と、
前記電気光学変調装置で変調された光を投写する投写レンズと、
前記照明装置及び前記電気光学変調装置を収納するとともに前記投写レンズを水平及び垂直に移動可能に保持する筐体とを備えたプロジェクタであって、
前記投写レンズは、鏡筒及び前記鏡筒の基端部側に設けられた鏡筒枠を有し、
前記筐体は、前記鏡筒枠を保持するための鏡筒保持枠を有し、
前記投写レンズは、前記鏡筒枠を前記鏡筒保持枠に対して水平及び垂直に摺動可能に保持する保持手段と、前記鏡筒枠を前記鏡筒保持枠に対して水平及び垂直に移動させることが可能な操作レバーとによって、前記筐体に対して水平及び垂直に移動可能に保持されていることを特徴とするプロジェクタ。
【請求項２】
請求項１に記載のプロジェクタにおいて、
前記鏡筒枠は、係合レバーによって前記鏡筒保持枠に係合されていることを特徴とするプロジェクタ。
【請求項３】
請求項１又は２に記載のプロジェクタにおいて、
前記鏡筒保持枠は、前記保持手段として、前記鏡筒枠を保持する鏡筒枠保持部と、前記鏡筒枠を前記鏡筒枠保持部に押し付けるためのバネとを有することを特徴とするプロジェクタ。
【請求項４】
請求項１又は２に記載のプロジェクタにおいて、
前記鏡筒枠は、前記保持手段として、前記鏡筒保持枠を保持する鏡筒保持枠保持部と、前記鏡筒保持枠を前記鏡筒保持枠保持部に押し付けるためのバネとを有することを特徴とするプロジェクタ。
【請求項５】
請求項１〜４のいずれかに記載のプロジェクタにおいて、
前記操作レバーを回動させる際に用いる支点が設けられていることを特徴とするプロジェクタ。
【請求項６】
請求項１〜５のいずれかに記載のプロジェクタにおいて、
前記操作レバーの移動範囲を規制するための移動範囲規制手段が設けられていることを特徴とするプロジェクタ。
【発明の詳細な説明】
【技術分野】
【０００１】
本発明はプロジェクタに関する。 
【背景技術】
【０００２】
投写レンズを筐体に対して水平又は垂直にシフトさせるレンズシフト機構を備えたプロジェクタが知られている。このレンズシフト機構は、投写レンズを筐体に対して水平又は垂直にシフトさせることによってスクリーンにおける投写位置を調整するための機構である。
【０００３】
図４は、従来のプロジェクタにおけるレンズシフト機構を説明するために示す図である。従来のプロジェクタおけるレンズシフト機構８０１は、図４に示すように、鏡筒８０７，８０８を上下にスライド可能に保持する支持板８０９と、支持板８０９に回動可能に取り付けられ、かつ、鏡筒８０７，８０８の外周面に取り付けられたナット８１３と螺合するシフト棒８１５とを備え、シフト棒８１５を左右に回動することにより鏡筒８０７，８０８を上下に昇降させてレンズシフトを実現している（例えば、特許文献１参照。）。
【０００４】
しかしながら、このレンズシフト機構８０１においては、投写レンズ８０５の上下方向の移動を、シフト棒８１５の先端の回転ノブ８１７を回すことにより行っているため、移動速度が遅く、投写レンズ８０５を大きく移動させる場合には、回転ノブ８１７を何回も回さなければならないという問題があった。また、投写レンズ８０５の上下及び左右の移動を実現しようとすれば、このレンズシフト機構８０１が２組必要になり、部品点数の増加、重量の増大、組立作業性の低下、レンズシフト操作の煩雑化といった問題を招いてしまう。
【０００５】
図５は、従来の他のプロジェクタにおけるレンズシフト機構を説明するために示す図である。従来の他のプロジェクタにおけるレンズシフト機構９０１は、図５に示すように、筐体前面投写口９２０ａに臨ませたスライド部９１１と、スライド部９１１に挿入され鏡筒９２７ａを上下にスライド可能に保持する保持部材９１２と、保持部材９１２の下方一側に設けた回動軸９１３と、回動軸９１３を中心として円弧状に形成され円弧方向に長い長孔９１４ａを有し保持部材９１２の下方他側に設けた支持板９１４と、一端を回動軸９１３に軸支され、他端を支持板９１４に上下可能に支持され保持部材９１２を上下に移動するシフト棒９１５からなる。そして、シフト棒９１５の他端にネジ孔９１５ｂを設け、支持板９１４の長孔９１４ａからシフト棒９１５のネジ孔９１５ｂに調節ネジ９１６を螺合して調節固定するように構成されている（例えば、特許文献２参照。）。
【０００６】
このため、このレンズシフト機構９０１によれば、投写レンズ（及び鏡筒９２７ａ）の上下方向の移動を、シフト棒９１５を回動軸９１３を中心として支持板９１４の長孔９１４ａに沿って回動させることにより行っているため、投写レンズの移動速度を早くすることが可能になる。
【特許文献１】特開平１０−１７１０４４号公報
【特許文献２】特開２０００−３３３１０３号公報
【発明の開示】
【発明が解決しようとする課題】
【０００７】
しかしながら、このレンズシフト機構９０１においても、投写レンズの上下及び左右の移動を実現しようとすれば、このレンズシフト機構９０１が２組必要になり、部品点数の増加、重量の増大、組立作業性の低下、レンズシフト操作の煩雑化といった問題を招いてしまう。
【０００８】
そこで、本発明は、このような問題を解決するためになされたもので、１つの操作部材によって投写レンズを水平及び垂直に移動させることが可能なプロジェクタを提供することを目的とする。
【課題を解決するための手段】
【０００９】
本発明のプロジェクタは、照明装置と、前記照明装置からの光を画像情報に応じて変調する電気光学変調装置と、前記電気光学変調装置で変調された光を投写する投写レンズと、前記照明装置及び前記電気光学変調装置を収納するとともに前記投写レンズを水平及び垂直に移動可能に保持する筐体とを備えたプロジェクタであって、前記投写レンズは、鏡筒及び前記鏡筒の基端部側に設けられた鏡筒枠を有し、前記筐体は、前記鏡筒枠を保持するための鏡筒保持枠を有し、前記投写レンズは、前記鏡筒枠を前記鏡筒保持枠に対して水平及び垂直に摺動可能に保持する保持手段と、前記鏡筒枠を前記鏡筒保持枠に対して水平及び垂直に移動させることが可能な操作レバーとによって、前記筐体に対して水平及び垂直に移動可能に保持されていることを特徴とする。
【００１０】
このため、本発明のプロジェクタによれば、操作レバーによって、鏡筒枠を鏡筒保持枠に対して水平及び垂直に移動させることが可能になるため、１の操作レバーによって投写レンズを水平及び垂直に移動させることが可能になる。
【００１１】
また、本発明のプロジェクタによれば、保持手段によって、鏡筒枠を鏡筒保持枠に対して水平及び垂直に摺動可能に保持することが可能になるため、操作レバーによって投写レンズを水平及び垂直に移動させた場合にも筐体に対する投写レンズの姿勢を正しく維持できる。
【００１２】
本発明のプロジェクタにおいては、前記鏡筒枠は、係合レバーによって前記鏡筒保持枠に係合されていることが好ましい。
【００１３】
このように構成することにより、係合レバーによって、鏡筒枠を鏡筒保持枠に対して係合することが可能になるため、操作レバーによって投写レンズを水平及び垂直に移動させた場合にも、筐体に対して投写レンズが投写光軸の回りを大きく回転してしまうことが抑制される。
【００１４】
本発明のプロジェクタにおいては、前記鏡筒保持枠は、前記保持手段として、前記鏡筒枠を保持する鏡筒枠保持部と、前記鏡筒枠を前記鏡筒枠保持部に押し付けるためのバネとを有することが好ましい。
【００１５】
このように構成することにより、鏡筒枠を鏡筒保持枠に対して保持するときには、鏡筒枠を鏡筒保持枠に対して確実に保持することができるようになる。また、鏡筒枠を鏡筒保持枠に対して水平及び垂直に移動させるときには、鏡筒枠を鏡筒保持枠に対して良好な使用感でもってスムーズに移動させることができるようになる。この場合、バネの強さを適宜選択することによって、鏡筒保持枠に対する鏡筒枠の確実な保持と、良好な使用感でのスムーズな移動とを最適な条件で行うことが可能になる。
【００１６】
本発明のプロジェクタにおいては、前記鏡筒枠は、前記保持手段として、前記鏡筒保持枠を保持する鏡筒保持枠保持部と、前記鏡筒保持枠を前記鏡筒保持枠保持部に押し付けるためのバネとを有することが好ましい。
【００１７】
このように構成することによっても、鏡筒枠を鏡筒保持枠に対して保持するときには、鏡筒枠を鏡筒保持枠に対して確実に保持することができるようになる。また、鏡筒枠を鏡筒保持枠に対して水平及び垂直に移動させるときには、鏡筒枠を鏡筒保持枠に対して良好な使用感でもってスムーズに移動させることができるようになる。この場合、バネの強さを適宜選択することによって、鏡筒保持枠に対する鏡筒枠の確実な保持と、良好な使用感でのスムーズな移動とを最適な条件で行うことが可能になる。
【００１８】
本発明のプロジェクタにおいては、前記操作レバーを回動させる際に用いる支点が設けられていることが好ましい。
【００１９】
このように構成することにより、操作レバーを支点で支持させた状態で操作レバーを回動させることができるため、良好な操作性が得られる。
【００２０】
本発明のプロジェクタにおいては、前記操作レバーの移動範囲を規制するための移動範囲規制手段が設けられていることが好ましい。
【００２１】
このように構成することにより、鏡筒保持枠に対する鏡筒枠の位置を適正な範囲に規制することができるようになるため、筐体に対する投写レンズの位置を適正な範囲に規制することができるようになる。
【発明を実施するための最良の形態】
【００２２】
以下、本発明のプロジェクタについて、図に示す実施の形態に基づいて説明する。
【００２３】
〔実施形態１〕
図１は、実施形態１に係るプロジェクタを説明するために示す図である。図１（ａ）は実施形態１に係るプロジェクタの光学系を上面から見た図であり、図１（ｂ）はその要部についての一部断面図である。
【００２４】
実施形態１に係るプロジェクタ１０００は、照明装置１００と、照明装置１００からの光を画像情報に応じて変調する電気光学変調装置としての液晶装置４００Ｒ，４００Ｇ，４００Ｂと、液晶装置４００Ｒ，４００Ｇ，４００Ｂで変調された光を投写する投写レンズ６００と、照明装置１００及び液晶装置４００Ｒ，４００Ｇ，４００Ｂを収納するとともに投写レンズ６００を水平及び垂直に移動可能に保持する筐体１０とを備えたプロジェクタである。
【００２５】
照明装置１００は、集束光を射出する光源装置１１０と、光源装置１１０からの光を略平行な光にする平行化レンズ１１８と、平行化レンズ１１８からの光の強度分布を均一にするための第１レンズアレイ１２０及び第２レンズアレイ１３０と、第２レンズアレイ１３０からの非偏光の光を偏光光に変換する偏光変換素子１４０と、偏光変換素子１４０からの光を被照明領域上で重畳する重畳レンズ１５０とを有している。光源装置１１０は、発光管１１２と、楕円面リフレクタ１１４と、補助ミラー１１６とを有している。
【００２６】
照明装置１００と液晶装置４００Ｒ，４００Ｇ，４００Ｂとの間には、照明装置１００からの光を赤色光、緑色光及び青色光に分離して３つの液晶装置４００Ｒ，４００Ｇ，４００Ｂに導くための色分離導光光学系２００が設けられている。この色分離導光光学系２００は、２つのダイクロイックミラー２１０，２２０と、３つのミラー２３０，３２０，３４０と、リレーレンズ３３０とを有している。液晶装置４００Ｒ，４００Ｇ，４００Ｂの直前などにはフィールドレンズ２４０Ｂ，２４０Ｇ，３５０，３１０が配置されている。
【００２７】
投写レンズ６００は、鏡筒６１０と、鏡筒６１０の基端部に設けられた鏡筒枠６２０を有している。筐体１０は、照明装置１００、液晶装置４００Ｒ，４００Ｇ，４００Ｂなどの光学系を支持するベース１２と、ベース１２に一体化して取り付けられ、鏡筒枠６２０を保持するための鏡筒保持枠２０とを有している。これによって、投写レンズ６００は、筐体１０に対して水平及び垂直に移動可能に保持されるため、スクリーンにおける投写位置を調整することができるようになる。
【００２８】
図２は、実施形態１に係るプロジェクタ１０００の要部を示す図である。図２（ａ）はその分解斜視図であり、図２（ｂ）はその一部断面図である。
【００２９】
実施形態１に係るプロジェクタ１０００は、上記したようにベース１２に一体化して取り付けられた鏡筒保持枠２０と、鏡筒６１０及び鏡筒枠６２０を有する投写レンズ６００とを有している。
【００３０】
投写レンズ６００は、鏡筒枠６２０を鏡筒保持枠２０に対して水平及び垂直に摺動可能に保持する保持手段３０と、鏡筒枠６２０を鏡筒保持枠２０に対して水平及び垂直に移動させることが可能な操作レバー４０とによって、鏡筒保持枠２０（ひいてはベース１２及び筐体１０）に対して水平及び垂直に移動可能に保持されている。
【００３１】
このため、実施形態１に係るプロジェクタ１０００によれば、操作レバー４０によって、鏡筒枠６２０を鏡筒保持枠２０に対して水平及び垂直に移動させることが可能になるため、１の操作レバー４０によって投写レンズ６００を水平及び垂直に移動させることが可能になる。
【００３２】
また、実施形態１に係るプロジェクタ１０００によれば、保持手段３０によって、鏡筒枠６２０を鏡筒保持枠２０に対して水平及び垂直に摺動可能に保持することが可能になるため、操作レバー４０によって投写レンズ６００を水平及び垂直に移動させた場合にも筐体１０に対して投写レンズ６００が傾いてしまうことが抑制される。
【００３３】
実施形態１に係るプロジェクタ１０００においては、鏡筒枠６２０は、係合レバー５０によって鏡筒保持枠２０に係合されている。
【００３４】
このため、実施形態１に係るプロジェクタ１０００によれば、係合レバー５０によって、鏡筒枠６２０を鏡筒保持枠２０に対して係合することが可能になるため、操作レバー４０によって投写レンズ６００を水平及び垂直に移動させた場合にも、筐体１０に対して投写レンズ６００が投写光軸６００ａｘ（図１（ａ）参照。）の回りを大きく回転してしまうことが抑制される。
【００３５】
実施形態１に係るプロジェクタ１０００においては、鏡筒保持枠２０は、保持手段３０として、鏡筒枠６２０を保持する鏡筒枠保持部３２と、鏡筒枠６２０を鏡筒枠保持部３２に押し付けるためのバネ３４とを有している。
【００３６】
このため、実施形態１に係るプロジェクタ１０００によれば、鏡筒枠６２０を鏡筒保持枠２０に対して保持するときには、鏡筒枠６２０を鏡筒保持枠２０に対して確実に保持することができるようになる。また、鏡筒枠６２０を鏡筒保持枠２０に対して水平及び垂直に移動させるときには、鏡筒枠６２０を鏡筒保持枠２０に対して良好な使用感でもってスムーズに移動させることができるようになる。そして、この場合、バネ３４の強さを適宜選択することによって、鏡筒保持枠２０に対する鏡筒枠６２０の確実な保持とスムーズな移動とを最適な条件で行うことが可能になる。
【００３７】
実施形態１に係るプロジェクタ１０００においては、鏡筒保持枠２０には、操作レバー４０を上下方向及び左右方向に回動させるときに用いる支点Ｃ１及び傾斜穴Ｈ１が設けられている。
【００３８】
このため、実施形態１に係るプロジェクタ１０００によれば、操作レバー４０を支点Ｃ１で支持させた状態で操作レバー４０を傾斜穴Ｈ１の傾斜角度内で上下方向及び左右方向に回動させることにより、鏡筒枠６２０を鏡筒保持枠２０に対して上下方向及び左右方向に移動させることができる。
【００３９】
実施形態１に係るプロジェクタ１０００においては、操作レバー４０の移動範囲を規制するための移動範囲規制手段としての移動範囲規制部材４４が設けられている。
【００４０】
このため、実施形態１に係るプロジェクタ１０００によれば、鏡筒保持枠２０に対する鏡筒枠６２０の位置を適正な範囲に規制することができるようになるため、筐体１０に対する投写レンズ６００の位置を適正な範囲に規制することができるようになる。
【００４１】
なお、実施形態１に係るプロジェクタ１０００においては、鏡筒保持枠２０に対する鏡筒枠６２０の取り付けは、例えば以下のようにして行う。
【００４２】
図２（ａ）を参照して、鏡筒保持枠２０における鏡筒枠保持部３２にバネ３４をセットする。次に、鏡筒枠６２０を、上方向から鏡筒枠保持部３２に挿し入れる。
次に、係合レバー５０を鏡筒保持枠２０にネジ止めし、その後、係合レバー５０の突起を鏡筒枠６２０の穴に挿し入れる。次に、操作レバー４０を鏡筒枠６２０の穴及び鏡筒保持枠２０の傾斜穴Ｈ１（図２（ｂ）参照。）に挿し入れる。
次に、移動範囲規制部材４４を筐体１０の所定位置に配置する。このとき、操作レバー４０のつば部４２が移動範囲規制部材４４の開口部から見えるように配置する。
【００４３】
実施形態１に係るプロジェクタ１０００においては、図２（ｂ）に示すように、筐体１０に対する投写レンズ６００の水平方向（Ｍ２方向）への移動は、移動範囲規制部材４４の前方から操作レバー４０を水平方向（Ｍ１方向）に移動させることにより行う。この場合、操作レバー４０は鏡筒保持枠２０における傾斜穴Ｈ１の中心を支点Ｃ１としてＭ１方向に回動する。すると、鏡筒枠６２０はそれにつれて鏡筒保持枠２０に対してＭ２方向に摺動しながら移動する。
このとき、てこの原理によって比較的小さな力で投写レンズ６００を移動することが可能となるとともに、操作レバー４０を動かした際の操作レバー４０の移動量と投写レンズ６００の移動量とが異なることから、投写レンズ６００の精密な位置調整を実現することが可能となる。
筐体１０に対する投写レンズ６００の垂直方向への移動の場合も同様である。
【００４４】
〔実施形態２〕
図３は、実施形態２に係るプロジェクタの要部を示す図である。図３（ａ）はその分解斜視図であり、図３（ｂ）及び図３（ｃ）は動作を示す図である。
【００４５】
実施形態２に係るプロジェクタ１０００Ａ（図示せず。）は、実施形態１に係るプロジェクタ１０００と基本的には同様の構成を有しているが、図３（ａ）に示すように、鏡筒枠６２０Ａ及び鏡筒保持枠２０Ａ並びにその周辺の機構が、実施形態１に係るプロジェクタ１０００の場合とは異なっている。
【００４６】
しかしながら、実施形態２に係るプロジェクタ１０００Ａは、投写レンズ６００Ａは、鏡筒枠６２０Ａを鏡筒保持枠２０Ａに対して水平及び垂直に摺動可能に保持する保持手段３０Ａと、鏡筒枠６２０Ａを鏡筒保持枠２０Ａに対して水平及び垂直に移動させる操作レバー４０Ａとによって、鏡筒保持枠２０Ａ（ひいてはベース１２Ａ及び筐体１０Ａ（ともに図示せず。））に対して水平及び垂直に移動可能に保持されている。
【００４７】
このため、実施形態２に係るプロジェクタ１０００Ａによれば、操作レバー４０Ａによって、鏡筒枠６２０Ａを鏡筒保持枠２０Ａに対して水平及び垂直に移動させることが可能になるため、実施形態１に係るプロジェクタ１０００の場合と同様に、１の操作レバー４０Ａによって投写レンズ６００Ａを水平及び垂直に移動させることが可能になる。
【００４８】
また、実施形態２に係るプロジェクタ１０００Ａによれば、保持手段３０Ａによって、鏡筒枠６２０Ａを鏡筒保持枠２０Ａに対して水平及び垂直に摺動可能に保持することが可能になるため、実施形態１に係るプロジェクタ１０００の場合と同様に、操作レバー４０Ａによって投写レンズ６００Ａを水平及び垂直に移動させた場合にも筐体１０Ａに対する投写レンズ６００Ａの姿勢を正しく維持できる。
【００４９】
また、実施形態２に係るプロジェクタ１０００Ａにおいては、鏡筒枠６２０Ａは、係合レバー５０Ａによって鏡筒保持枠２０Ａに係合されている。このため、係合レバー５０Ａによって、鏡筒枠６２０Ａを鏡筒保持枠２０Ａに対して係合することが可能になるため、実施形態１に係るプロジェクタ１０００の場合と同様に、操作レバー４０Ａによって投写レンズ６００Ａを水平及び垂直に移動させた場合にも、筐体１０Ａに対して投写レンズ６００Ａが投写光軸６００Ａａｘ（図示せず。）の回りを大きく回転してしまうことが抑制される。
【００５０】
また、実施形態２に係るプロジェクタ１０００Ａにおいては、鏡筒保持枠２０Ａは、保持手段３０Ａとして、鏡筒枠６２０Ａを保持する鏡筒枠保持部３２Ａと、鏡筒枠６２０Ａを鏡筒枠保持部３２Ａに押し付けるためのバネ３４Ａとを有している。このため、実施形態１に係るプロジェクタ１０００の場合と同様に、鏡筒枠６２０Ａを鏡筒保持枠２０Ａに対して保持するときには、鏡筒枠６２０Ａを鏡筒保持枠２０Ａに対して確実に保持することができるようになる。また、鏡筒枠６２０Ａを鏡筒保持枠２０Ａに対して水平及び垂直に移動させるときには、鏡筒枠６２０Ａを鏡筒保持枠２０Ａに対して良好な使用感でもってスムーズに移動させることができるようになる。そして、この場合、バネ３４Ａの強さを適宜選択することによって、鏡筒保持枠２０Ａに対する鏡筒枠６２０Ａの確実な保持とスムーズな移動とを最適な条件で行うことが可能になる。
【００５１】
実施形態２に係るプロジェクタ１０００Ａにおいては、鏡筒保持枠２０Ａには、操作レバー４０Ａを上下方向及びは左右方向に回動する際に用いる支点Ｃ２（図３（ｂ）参照。）が設けられた操作レバー支持部材４２Ａが設けられている。
【００５２】
また、実施形態２に係るプロジェクタ１０００Ａにおいては、図３（ａ）に示すように、操作レバー４０の移動範囲を規制するための移動範囲規制手段としての長穴４６Ａが設けられているため、実施形態１に係るプロジェクタ１０００の場合と同様に、鏡筒保持枠２０Ａに対する鏡筒枠６２０Ａの位置を適正な範囲に規制することができるようになるため、筐体１０Ａに対する投写レンズ６００Ａの位置を適正な範囲に規制することができるようになる。
【００５３】
なお、実施形態２に係るプロジェクタ１０００Ａにおいては、鏡筒保持枠２０Ａに対する鏡筒枠６２０Ａの取り付けは、例えば以下のようにして行う。
【００５４】
図３（ａ）を参照して、鏡筒保持枠２０Ａにおける鏡筒枠保持部３２Ａにバネ３４Ａをセットする。次に、鏡筒枠６２０Ａを、上方向から鏡筒枠保持部３２Ａに挿し入れる。
次に、係合レバー５０Ａを鏡筒保持枠２０Ａにネジ止めし、その後、係合レバー５０Ａの穴を鏡筒枠６２０Ａの突起に入れる。
次に、操作レバー受け部材４４Ａを鏡筒枠６２０Ａにネジ止めし、その後、操作レバー４０Ａを鏡筒保持枠２０Ａの穴及び鏡筒枠２０Ａの長穴４６Ａに挿し入れる。このとき、操作レバー４０Ａは、操作レバー受け部材４４Ａの切り欠き（図３（ｃ）参照。）に入れるようにする。
次に、操作レバー支持部材４２Ａを操作レバー４０Ａの上部からネジ止めする。
【００５５】
実施形態２に係るプロジェクタ１０００Ａにおいては、筐体１０Ａに対する投写レンズ６００Ａの垂直方向（Ｍ４方向）への移動は、図３（ｂ）に示すように、操作レバー４０ＡをＭ３方向に回動することにより行う。この場合、操作レバー４０Ａは操作レバー支持部材４２Ａを支点Ｃ２としてＭ３方向に回動する。すると、鏡筒枠６２０Ａはそれにつれて鏡筒保持枠２０Ａに対してＭ４方向に摺動しながら移動する。
このとき、てこの原理によって比較的小さな力で投写レンズ６００Ａを移動することが可能となる。
【００５６】
また、筐体１０Ａに対する投写レンズ６００Ａの水平方向（Ｍ６方向）への移動は、図３（ｃ）に示すように、操作レバー４０Ａを水平方向（Ｍ５方向）に移動させることにより行う。この場合、操作レバー４０Ａは操作レバー支持部材４２Ａを支点Ｃ２としてＭ５方向に回動する。すると、鏡筒枠６２０Ａはそれにつれて鏡筒保持枠２０Ａに対してＭ６方向に摺動しながら移動する。
【００５７】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００５８】
（１）上記各実施形態のプロジェクタ１０００，１０００Ａは透過型のプロジェクタであるが、本発明は反射型のプロジェクタにも適用することが可能である。ここで、「透過型」とは、透過型の液晶装置等のように光変調手段としての電気光学変調装置が光を透過するタイプであることを意味しており、「反射型」とは、反射型液晶装置のように光変調手段としての電気光学変調装置が光を反射するタイプであることを意味している。反射型のプロジェクタにこの発明を適用した場合にも、透過型のプロジェクタと同様の効果を得ることができる。 
【００５９】
（２）上記各実施形態のプロジェクタ１０００，１０００Ａは、電気光学変調装置として液晶装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００６０】
（３）上記各実施形態のプロジェクタ１０００，１０００Ａは、鏡筒枠が鏡筒保持枠の鏡筒保持部に保持されるよう構成されているが、本発明はこれに限られない。鏡筒保持枠が鏡筒枠の鏡筒保持枠保持部に保持されるように構成されていてもよい。
【図面の簡単な説明】
【００６１】
【図１】実施形態１に係るプロジェクタを説明するために示す図。
【図２】実施形態１に係るプロジェクタの要部を示す図。
【図３】実施形態２に係るプロジェクタの要部を示す図。
【図４】従来のプロジェクタにおけるレンズシフト機構を説明するために示す図。
【図５】従来の他のプロジェクタにおけるレンズシフト機構を説明するために示す図。
【符号の説明】
【００６２】
１０…筐体、１２…ベース、２０，２０Ａ…鏡筒保持枠、３０，３０Ａ…保持手段、３２，３２Ａ…鏡筒枠保持部、３４，３４Ａ…バネ、４０，４０Ａ…操作レバー、４２…つば部、４２Ａ…操作レバー支持部材、４４…移動範囲規制部材、４４Ａ…操作レバー受け部材、４６Ａ…長穴、５０，５０Ａ…係合レバー、１００…照明装置、１１０…光源装置、１１２…発光管、１１４…楕円面リフレクタ、１１６…補助ミラー、１１８…平行化レンズ、１２０…第１レンズアレイ、１３０…第２レンズアレイ、１４０…偏光変換素子、１５０…重畳レンズ、２００…色分離導光光学系、２１０，２２０…ダイクロイックミラー、２３０，３２０，３４０…ミラー、３３０…リレーレンズ、２４０Ｂ，２４０Ｇ，３１０，３５０…フィールドレンズ、４００Ｒ，４００Ｇ，４００Ｂ…液晶装置、５００…クロスダイクロイックプリズム、６００，６００Ａ…投写レンズ、６００ａｘ…投写光軸、６１０，６１０Ａ…鏡筒、６２０，６２０Ａ…鏡筒枠、８０１，９０１…レンズシフト機構、８０５…投写レンズ、８０７，８０８…鏡筒、８０９…支持板、８１０…プリズム台、８１１…保持ベース、８１２…補助板、８１３…ナット部、８１４…軸受、８１５…シフト棒、８１６…ネジ部、８１７…回転ノブ、９１１…スライド部、９１２…保持部材、９１３…回動軸、９１４…支持板、９１４ａ…長孔、９１５…シフト棒、９１５ｂ…ネジ孔、９１５ｃ…突起部、９１６…調節ネジ、９２０…筐体、９２０ａ…筐体前面投写口、９２７ａ…鏡筒、１０００…プロジェクタ
【図１】
2006091058.tif 000003
【図２】
2006091058.tif 000004
【図３】
2006091058.tif 000005
【図４】
2006091058.tif 000006
【図５】
2006091058.tif 000007